(57)【特許請求の範囲】
【請求項１】
１回の通信で送信される全画情報量及び画情報の再送回数を記憶する記憶手段と、
送信中に該記憶手段に記憶された１回の通信で送信される全画情報量及び画情報の再送回数に基づいて、送信動作を中断するための伝送速度の閾値を求め、伝送速度が前記閾値以下になった際に送信動作を中断する制御手段と、
を有することを特徴とする通信端末装置。
【請求項２】
１回の通信で送信される全画情報量及び画情報の再送回数を記憶する記憶手段と、
送信中に該記憶手段に記憶された１回の通信で送信される全画情報量及び画情報の再送回数に基づいて、送信動作を中断するための伝送速度の閾値を求め、伝送速度が前記閾値以下になった際に送信動作を中断し画情報の再送を行うと共に、前記画情報の再送回数が予め設定された再送回数上限値に達した場合には伝送速度に無関係に残りの全画情報の送信を継続して行う制御手段と、
を有することを特徴とする通信端末装置。
【発明の詳細な説明】
【０００１】
【発明の属する技術分野】
本発明は、通信端末装置に係り、具体的にはＩＴＵ−Ｔ勧告Ｖ．８及びＶ．３４に準じた通信手順に基づいて通信を行う機能を有する通信端末装置に関する。
【０００２】
なお、ＩＴＵ−Ｔとは、International Telecommunications Union−Telecommunications Standardization Sector 、即ち国際電気通信連合の電気通信標準化部門を意味する。ＩＴＵ−Ｔ勧告Ｖ．８は一般交換電話網におけるデータ伝送のセッション開始手順について、ＩＴＵ−Ｔ勧告Ｖ．３４は一般交換電話網及び２線式ポイントツウポイント電話形専用回線で使用する３３６００ｂｉｔ／ｓまでのデータ信号速度で動作するモデムに関する規格をそれぞれ、定めている。
【０００３】
またＩＴＵ−Ｔ勧告Ｖ．３４をファクシミリ装置の通信手順に応用する規格として、ＩＴＵ−Ｔ勧告Ｔ．３０ ANNEXＦが定められた。
【０００４】
【従来の技術】
従来のＧ３ファクシミリ通信プロトコルでは、通信のエラーが頻繁に発生した場合には通信中に、発呼局側もしくは応答局側で伝送速度の再設定が行われるが、通信のエラーが頻繁に発生しない通常時には通信の最初に決定された伝送速度がそのまま通信が終了するまで使用される。
【０００５】
ＩＴＵ−Ｔ勧告Ｖ．８及びＶ．３４に準じた通信手順に基づいて通信を行う機能を有する通信端末装置では、モデムの使用方法によっては１ページ単位で、あるいは１ページより細かいＥＣＭ（Ｅrror  Ｃorrection Ｍode ）でのブロック単位でモデムにより最適な伝送速度を決定させることができる。この場合に１回の通信でのデータの伝送速度が複数、存在することになる。
【０００６】
【発明が解決しようとする課題】
ところで従来の通信端末装置では、通常、印字装置より印字出力される通信記録リストには各通信の送信先／送信元の番号、相手局名、ページ数等のデータが記録される。データの伝送速度については記録されないか、通信開始時に決定された、あるいは通信の最終段階での伝送速度が記録される。
【０００７】
このように通信記録リストに伝送速度のデータが記録されても１つの伝送速度のデータしか記録されないのは、１回の通信でデータの伝送速度が変化する可能性が多分に有るＩＴＵ−Ｔ勧告Ｖ．８及びＶ．３４に準じた通信手順に基づいて通信を行う機能を有する通信端末装置には不適切である、という問題があった。
【０００８】
本発明は、このような事情に鑑みてなされたものであり、低速度で長時間、データを伝送することによる通信時間及び通信料金の無駄を省くことができる通信端末装置を提供することを目的とする。
【００１９】
【課題を解決するための手段】
目的を達成するために請求項１に記載の発明は、１回の通信で送信される全画情報量及び画情報の再送回数を記憶する記憶手段と、送信中に該記憶手段に記憶された１回の通信で送信される全画情報量及び画情報の再送回数に基づいて、送信動作を中断するための伝送速度の閾値を求め、伝送速度が前記閾値以下になった際に送信動作を中断する制御手段と、を有することを特徴とする。
【００２０】
上記構成の通信端末装置では、１回の通信で送信される全画情報量及び画情報の再送回数に基づいて伝送速度の閾値が求められ、伝送速度が所定の閾値以下になった際に送信動作が中断される。
【００２１】
また請求項２に記載の発明は、１回の通信で送信される全画情報量及び画情報の再送回数を記憶する記憶手段と、送信中に該記憶手段に記憶された１回の通信で送信される全画情報量及び画情報の再送回数に基づいて、送信動作を中断するための伝送速度の閾値を求め、伝送速度が前記閾値以下になった際に送信動作を中断し画情報の再送を行うと共に、前記画情報の再送回数が予め設定された再送回数上限値に達した場合には伝送速度に無関係に残りの全画情報の送信を継続して行う制御手段と、を有することを特徴とする。
【００２２】
上記構成の通信端末装置では、送信中に１回の通信で送信される全画情報量及び画情報の再送回数に基づいて伝送速度の閾値が求められ、伝送速度が閾値以下になった際に送信動作が中断され画情報の再送が行われると共に、前記画情報の再送回数が予め設定された再送回数上限値に達した場合には伝送速度に無関係に残りの全画情報の送信が継続して行われる。
【００２３】
請求項１または２に記載の発明によれば、通信の初期のフェーズで伝送速度が低下しすぎた時に、通信を中断してデータを再送することにより、低速度で長時間、伝送することによる通信時間及び通信料金の無駄を省くことができる。
【００２４】
【発明の実施の形態】
以下、本発明の実施の形態を図面を参照して詳細に説明する。
【００２５】
［ファクシミリ装置の全体構成］
図１には、本発明の実施の形態に係る通信端末装置の一例として、ファクシミリ装置１０の全体構成が示されている。このファクシミリ装置１０は、ファクシミリ装置１０全体の制御処理を行うＣＰＵ１２、制御プログラム実行時に使用するワークエリアとしてのＲＡＭ１４、ファクシミリ装置１０を操作するための表示部及び操作スイッチ等が設けられた操作表示装置１６、送信原稿を読取る読取装置１８、受信画情報等を印刷して出力する印字装置２０、符号化・復号化・拡大・縮小等の画像処理を行う画像処理装置２２、送信または受信する画情報を格納する画像蓄積装置２４、ファクシミリ装置１０全体を制御するプログラムを記憶したＲＯＭで構成されたシステム制御プログラム記憶部２８、デジタル網（例えば、ＩＳＤＮ網）に適した通信（例えば、Ｇ４）を制御するためのプログラムを記憶したＲＯＭから構成されたデジタル通信制御プログラム記憶部３０、アナログ網（例えば、Ｇ３）に適した通信を制御するためのプログラムを記憶したＲＯＭから構成されたアナログ通信制御プログラム記憶部３２、ファクシミリ装置１０をデジタル網へ接続するためのデジタル網制御装置３８、ファクシミリ装置１０をアナログ網へ接続するためのアナログ網制御装置４０、及び切替えによって複数の外部回線インターフェースと複数の内部通信回線とを接続するための回線切替制御装置３６を備えており、これらはシステムバス２６により相互に接続されている。
【００２６】
また、デジタル通信制御プログラム記憶部３０は、直接、回線切替制御装置３６と相互に接続されており、アナログ通信制御プログラム記憶部３２は、低速モードと高速モードとを備えたモデム（変復調装置）３４を介して回線切替制御装置３６と相互に接続されると共に、アナログ網制御装置４０と直接、接続されている。
【００２７】
また回線切替制御装置３６は、デジタル網制御装置３８及びアナログ網制御装置４０の各々とも相互に接続されている。
【００２８】
本発明の実施の形態に係る通信端末装置の一例としてのファクシミリ装置１０は、デジタル網にもアナログ網にも接続可能であるが、このファクシミリ装置１０をアナログ網にのみ接続する場合にはデジタル通信制御プログラム記憶部３０及びデジタル網制御装置３８を省略することができ、デジタル網にのみ接続する場合にはアナログ通信制御プログラム記憶部３２、モデム３４及びアナログ網制御装置４０を省略することができる。
【００３０】
本発明の実施の形態において、伝送速度のデータ、画情報の再送回数及び１回の通信で送信される全画情報量のデータを記憶する記憶手段はＲＡＭ１４が相当する。
【００３１】
更に本発明の実施の形態において、伝送速度の変化に伴い通信状態を制御する制御手段の機能を、アナログ通信制御プログラム記憶部３２に記憶されたプログラムをＣＰＵ１２が実行することにより実現しているが、これに限らず、ハードウェアで実現するようにしてもよい。
【００３２】
［ＩＴＵ−Ｔ勧告Ｔ．３０ ANNEXＦの基本的な通信手順の概要］
次に、ＩＴＵ−Ｔ勧告Ｔ．３０ ANNEXＦの基本的な通信手順の概要を説明する。図２には、Ｔ．３０ ANNEXＦの基本的な通信手順が示されており、中心線の左側には発呼局から応答局へ送出される信号が、中心線の右側には応答局から発呼局へ送出される信号が、それぞれ時系列に沿って上から順に示されている。
【００３３】
この図２には、通信開始時の手順、画情報の伝送時の手順、及び通信終了時の手順が網羅されている。このうち通信開始時の手順は、相手側端末の機能等を認識するためのネットワークインタラクション（フェーズ１）、発呼局と応答局との間に設定された通信回線の状態を把握するためのラインプロービング（フェーズ２）、モデムに内蔵された等化器のトレーニングを行うプライマリーチャネル等化器トレーニング（フェーズ３）、モデムの性能情報等を交換しデータ信号速度の設定等を行うモデムパラメータ交換（フェーズ４）、画情報の伝送に先立ち制御チャネルデータの交換等を行うＴ．３０ファクシミリハンドシェーク（フェーズ５）、画情報の伝送に先立ちプライマリーチャネルを再度同期させるプライマリーチャネルの再同期（フェーズ６）の各フェーズにより構成される。
【００３４】
なお、このうちネットワークインタラクションでは、Ｖ．８に準じた動作が行われ、次のラインプロービング以降ではＶ．３４の半２重動作モードに基づく動作が行われる。
【００３５】
次に第１例の通信端末装置の通信手順について図３を参照して説明する。本発明の第１の実施の形態に係る通信端末装置は、１回の通信中で使用された１種類以上の伝送速度から、最高伝送速度及び最低伝送速度をその通信における通信情報として記録するようにしている。以下、図３のフローチャートを参照して具体的に説明する。同図において、初期設定としてＲＡＭ１４に最高伝送速度ＶM が「０」に、最低伝送速度ＶN が「３３，６００ｂｐｓ」に設定される（ステップ５２）。
【００３６】
次いで発呼局としてのファクシンミリ装置１０は発呼処理を行い（ステップ５４）、更にモデム３４により応答局との間で伝送速度ＶX が決定される（ステップ５６  ）。次にステップ５６で決定された伝送速度ＶX がステップ５２で初期設定された最高伝送速度ＶM （＝０）と大小比較される。この段階ではＶX ＞ＶM となるので、ステップ６０に移行し、ステップ５６で決定された伝送速度ＶX が最高伝送速度ＶM として再設定され、ＲＡＭ１４に記憶された最高伝送速度ＶM の内容が更新される。
【００３７】
更にステップ６２では伝送速度ＶX がＶX ＜ＶN であるか否かが判定される。ステップ５２における初期設定で最低伝送速度ＶN は勧告Ｖ．３４により規定された伝送速度のうち最高伝送速度である３３，６００ｂｐｓに設定されているのでステップ６２でＶX ＜ＶN であると判定され、伝送速度ＶX が最低伝送速度ＶN としてＲＡＭ１４に再設定され、ＲＡＭ１４に記憶された最低伝送速度ＶN の内容が更新される（ステップ６４）。次にステップ５６で決定された伝送速度ＶX で１ブロック分の画情報が応答局に送信され、全ブロック分の画情報の送信が終了したか否かが判定されれる（ステップ６８）。ステップ６８で全ブロック分の画情報の送信が終了してない場合には、ステップ５６に処理は戻り、再度、応答局との間でモデムにより伝送速度が決定される。そしてステップ５６で新たに決定された伝送速度ＶX がＶX ＞ＶM であるか否かが判定される。すなわち、新たに決定された伝送速度ＶX が最高伝送速度ＶM （前回の伝送速度ＶX に相当）より大であるか否かが判定される。ＶX ＞ＶM であらば、ステップ６０で最高伝送速度ＶM が更新され、またＶX ≦ＶM であればステップ６２でＶX ＜ＶN （この時点では最低伝送速度ＶN は前回の伝送速度ＶX に設定されている。）であるか否かが判定される。
【００３８】
ＶX ＜ＶN であれば、ステップ６４で最低伝送速度ＶN は更新され、ＶX ≧ＶN であれば、最低伝送速度ＶN は更新されることなく、ステップ６６で１ブロック分の画情報の送信が行われる。更に全ブロック分の画情報の送信が終了してない場合には同様にしてステップ５６に戻り、既述した処理（ステップ５６〜６８）を繰り返し、１回の通信中で使用された伝送速度のうちの最高伝送速度と最低伝送速度が求められる。
【００３９】
このようにして全ブロック分の画情報の送信が終了すると（ステップ６８）、通信回線との切断処理が行われ（ステップ７０）、印字装置２０により１回の通信中における最高伝送速度と最低伝送速度とを少なくとも含む通信情報が通信記録リストとして印字出力されると共に、操作表示装置１６の表示部に上記最高伝送速度と最低伝送速度とが可視表示される（ステップ７２）。
【００４０】
上述した第１例の通信端末装置では１回の通信中に使用された１種類以上の伝送速度のうち最高伝送速度及び最低伝送速度をその通信における通信情報として通信記録リストに記録し、操作表示装置１６の表示部に表示するするようにしているが、最高伝送速度のみをその通信における通信情報として通信記録リストに記録し、操作表示装置１６の表示部に表示するようにしてもよい。
【００４１】
また１回の通信中に使用された１種類以上の伝送速度のうち最高伝送速度と最低伝送速度とが異なる場合には両者を、最高伝送速度と最低伝送速度とが同一である場合にはその一方だけを、その通信における通信情報として通信記録リストに記録し、操作表示装置１６の表示部に表示するようにしてもよい。
【００４２】
更に通信記録情報出力手段としての印字装置２０により印字出力され、あるいは操作表示装置１６により可視表示される通信記録リストに表示される最高伝送速度と最低伝送速度の表示の順序を操作表示装置の操作部から指示することにより変更可能に構成してもよい。
【００４３】
第１例の通信端末装置では、１回の通信中で使用された１種類以上の伝送速度から、最高伝送速度及び最低伝送速度をその通信における通信情報として記録するようにしたので、各通信における通信状態を把握する上で適切な伝送速度を知ることができ、通信トラブルの解析が一層容易になる。
【００４４】
例えば、ある画像情報の通信が、通常より長い時間がかかった場合に、一般に次の２つの原因が考えられる。すなわち、１）何らかの回線トラブルによりコマンドの再送が行われることにより、あるいは２）回線不良により伝送速度が低下することにより、通信時間が長くなることが考えられる。この場合にその通信における伝送速度の最大値と最小値とを知ることができれば、それらの差から通信時間が通常より長くかかった原因を解析する手掛かりとなる。
【００４５】
次に第２例の通信端末装置の通信手順について図４を参照して説明する。第２例の通信端末装置は、１回の通信中で使用された１種類以上の伝送速度のうち最も多く使用された伝送速度をその通信の伝送速度として通信記録リストに記録するようにしている。
【００４６】
以下、図４のフローチャートを参照して具体的に説明する。同図において、ステップ８２〜８８ではＩＴＵ−Ｔ勧告Ｖ．３４に準じた通信手順に基づいて通信を行う機能を有する本発明の実施の形態に係る通信端末装置が取り得る各伝送速度毎に設けられたソフトカウンタＣＮＴ（ｉ）（ｉ＝１〜１４）がリセットされる。すなわち、ソフトカウンタＣＮＴ（１）〜ＣＮＴ（１４）が２，４００ｂｐｓ〜３３，６００ｂｐｓまで２，４００ｂｐｓ刻みの伝送速度に対応して設けられており、これらのソフトカウンタがリセットされる。
【００４７】
次いで発呼局としてのファクシミリ装置１０は、発呼処理を行い（ステップ９０）、更にモデム３４により応答局との間で伝送速度ＶX が決定される（ステップ９２）。次いでステップ９２で決定された伝送速度ＶX を２，４００で除した値をカウンタ番号ｉとし、伝送速度ＶX に対応するソフトカウンタＣＮＴ（ｉ）が特定される（ステップ９４）。ステップ９６ではソフトカウンタＣＮＴ（ｉ）の内容をＣＮＴ（ｉ）＋１とし、１ブロック分の画情報の送信が行われる（ステップ９８）。すなわち、ステップ９２〜９８の処理によりモデム３４で決定された伝送速度ＶX が本実施の形態では１ブロック分の画情報の送信に使用される毎に該当するソフトカウンタＣＮＴ（ｉ）がカウントアップされることになる。
【００４８】
次にステップ１００で全ブロック分の画情報の送信が終了したか否かが判定され、全ブロック分の画情報の送信が終了してない場合にはステップ９２に戻り、ステップ９２〜１００の処理を繰り返す。
【００４９】
一方、ステップ１００で全ブロック分の画情報の送信が終了した場合には通信回線との切断処理が行われ（ステップ１０２）、ソフトカウンタＣＮＴ（ｉ）（ｉ＝１〜１４）の計数値のうち最大の計数値である最大値Ｍを０に初期設定する（ステップ１０４）。
【００５０】
次にステップ１０６でカウンタ番号ｉを０とし、次いでステップ１０８でカウンタ番号ｉを１だけインクリメントし、ステップ１１０でＣＮＴ（ｉ）≧最大値Ｍであるか否かが判定される。ステップ１１０でＣＮＴ（ｉ）≧最大値Ｍであると判定された場合には、最大値ＭをＣＮＴ（ｉ）とし（ステップ１１１）、ｉ×２，４００を、みなし伝送速度ＶXOとし（ステップ１１２）、ステップ１１４でｉ＜３３，６００÷２，４００（＝１４）であるか否か、すなわちソフトカウンタＣＮＴ（ｉ）（ｉ＝１〜１４）について全て、ステップ１１０の計数値のチェックが終了したか否かが判定される。ソフトカウンタＣＮＴ（ｉ）（ｉ＝１〜１４）の全てについてステップ１１０の計数値のチェックが終了してない場合には、ステップ１０８に戻り、ステップ１０８〜１１４の処理を繰り返す。このステップ１１０及びステップ１１２の処理を全ソフトカウンタＣＮＴ（ｉ）（ｉ＝１〜１４）について行うことにより１回の通信において最も多く使用された伝送速度がみなし伝送速度ＶXOとして求められる。
【００５１】
このみなし伝送速度ＶXOは、印字装置２０から印字出力される通信記録リストに通信情報として記録されると共に、操作表示装置１６の表示部にも表示される（ステップ１１６）。
【００５２】
尚、図４に示したフローではカウンタ番号が大きい程、各ソフトカウンタに割り当てられた伝送速度は高速になるので計数値が最大となったソフトカウンタＣＮＴ（ｉ）が複数、有る場合、すなわち１回の通信で最も多く使用された伝送速度が複数、存在する場合には最も高速の伝送速度が通信記録リストに記録されることになる。
【００５３】
図５に印字装置２０より印字出力される通信記録リストの一例の内容を示す。同図では例えば、各送信時の記録が示されており、１回の送信毎に応答局である相手局名、送信開始時刻、送信枚数、モード、伝送速度及び送信の所要時間が記録されている。伝送速度としては例えば、その通信時の最高伝送速度、あるいは最高伝送速度及び最低伝送測度、あるいはその通信で最も多く使用された伝送測度が記録されている。モードの欄は、ファクシミリのどのプロトコルにより送信されたのかを表している。「ＥＣＭ」は、Ｇ３のエラーコレクションモードを使用したもの、「ＳＧ３」はＳｕｐｅｒ  Ｇ３、すなわちＶ．３４に準じた通信手順を使用したものである。
【００５４】
第２例の通信端末装置では、１回の通信中で使用された１種類以上の伝送速度のうち最も多く使用された伝送速度をその通信における通信情報として通信記録リストに記録するようにしたので、各通信における通信状態を的確に把握することができる。
【００５５】
次に本発明の実施の形態に係る通信端末装置の通信手順について図６を参照して説明する。本発明の第３の実施の形態に係る通信端末装置は、１回の通信で送信される全画情報量量及び画情報の再送回数に基づいて伝送速度の閾値を求め、伝送速度が閾値以下になった際に送信動作を中断し画情報の再送を行うと共に、前記画情報の再送回数が予め設定された再送回数上限値に達した場合には伝送速度に無関係に残りの全画情報の送信を継続して行うようにしている。
以下、図６のフローチャートを参照して具体的に説明する。同図において、初期設定としてＲＡＭ１４に伝送速度の速度閾値ＶQ が例えば、「１４，４００ｂｐｓ」に、画情報の再送回数Ｎが「０」に設定される（ステップ２０２）。ここで伝送速度の速度閾値ＶQ の初期値は、例えば、１回の通信で送信される全画情報量に基づいて設定される。
【００５６】
次いで発呼局としてのファクシミリ装置１０は、発呼処理を行い（ステップ２０４）、次のステップ２０６でモデム３４により応答局との間で伝送速度ＶX が決定される。
【００５７】
更にステップ２０８では再送回数Ｎが再送回数上限値ＮULに達したか否かが判定され、再送回数Ｎが再送回数上限値ＮULに達していない場合には、ステップ２０６において決定された伝送速度Ｖx が速度閾値ＶQ より小であるか否かが判定される（ステップ２１０）。Ｖx ≧ＶQ である場合には１ブロック分の画情報が送信され（ステップ２１２）、１ページ分の画情報の送信が終了していない場合にはステップ２０６に戻る（ステップ２１４）。
【００５８】
一方、ステップ２１０で伝送速度Ｖx がＶx ＜ＶQ である場合には、ステップ２２０に移行し、ステップ２２０で通信回線との切断処理が行われ、ステップ２２２で画情報の再送が行われ、再送回数Ｎは１だけインクリメントされると共に（ステップ２２４）、速度閾値ＶQ がＶQ −２，４００に更新され（ステップ２２６）、処理はステップ２０４に戻る。ここでステップ２２６での伝送速度の速度閾値ＶQ の更新は、既に送信された画情報量及び画情報の再送回数に基づいて行うようにしてもよい。
【００５９】
このようにしてステップ２０６でモデム３４により決定され伝送速度Ｖx が速度閾値ＶQ を下回る毎に、一旦、通信回線の切断処理が行われ、その都度、再送回数Ｎが１だけインクリメントされ、かつ速度閾値ＶQ がＶQ −２，４００に更新される（ステップ２１０〜２２６）。
【００６０】
更にステップ２０８で再送回数Ｎが再送回数上限値ＮULに達した場合にはステップ２１６に移行し、ステップ２１６で残りの全ページ分の画情報を送信し、通信回線との切断処理を行い、この通信手順の処理を終了する。
【００６１】
本発明の実施の形態に係る通信端末装置では、１回の通信で送信される全画情報量及び画情報の再送回数に基づいて伝送速度の閾値を求め、伝送速度が閾値以下になった際に送信動作を中断し画情報の再送を行うと共に、前記画情報の再送回数が予め設定された再送回数上限値に達した場合には伝送速度に無関係に残りの全画情報の送信を継続して行うようにしたので、通信の初期のフェーズで伝送速度が低下しすぎた時に、通信を中断して画情報を再送することにより、低速度で長時間、伝送することによる通信時間及び通信料金の無駄を省くことができる。
【００６２】
【発明の効果】
以上に説明したように請求項１または２に記載の発明によれば、通信の初期のフェーズで伝送速度が低下しすぎた時に、通信を中断して画情報を再送するようにしたので、低速度で長時間、伝送することによる通信時間及び通信料金の無駄を省くことができる。
【図面の簡単な説明】
【図１】    本発明が適用されるファクシミリ装置の全体構成を示すブロック図。
【図２】    ＩＴＵ−Ｔ勧告Ｖ．８及びＶ．３４に準じた基本的な通信手順を示すシーケンス図。
【図３】    第１例の通信端末装置の通信手順を示すフローチャート。
【図４】    第２例の通信端末装置の通信手順を示すフローチャート。
【図５】    本発明の実施の形態に係る通信端末装置の印字装置により印字出力される通信記録リストの一例の内容を示す説明図。
【図６】    本発明の実施の形態に係る通信端末装置の通信手順を示すフローチャート。
【符号の説明】
１０    ファクシミリ装置
１２    ＣＰＵ
１４    ＲＡＭ
１６    操作表示装置
１８    読取装置
２０    印字装置
２２    画像処理装置
２４    蓄積装置
２６    システムバス
２８    システム制御プログラム記憶部
３０    デジタル通信制御プログラム記憶部
３２    アナログ通信制御プログラム記憶部
３４    モデム
３６    回線切替制御装置
３８    デジタル網制御装置
４０    アナログ網制御装置
【図１】
0003707196.tif 000002
【図２】
0003707196.tif 000003
【図３】
0003707196.tif 000004
【図４】
0003707196.tif 000005
【図５】
0003707196.tif 000006
【図６】
0003707196.tif 000007